(57)【要約】 【課題】  ユーザがクレジット情報を入力することなく、かつ入力の代わりにクレジット情報を予め登録させておくサーバを用いる必要がなく、携帯電話機などの携帯通信装置からクレジットによる決済を行うことができるオンライン金銭処理システムおよびプログラムを提供する。【解決手段】  携帯電話機１０は、クレジット決済選択情報に応答して、専用タグのｃＨＭＴＬで記述された携帯クレジット決済許可情報を、小売店サーバ１１から受信すると、「決済ボタン」を表示する。ユーザが「決済ボタン」を押下すると、アクセスモジュール１０２によって、非接触ＩＣチップから携帯クレジット情報を読み出し、読み出した携帯クレジット情報を小売店サーバ１１に送信する。小売店サーバ１１は、受信した携帯クレジット情報が、クレジット会社サーバ１２によって認証されると、決済処理を完了し、商品の発送を開始する。【選択図】      図１
2008139910.tif 000002
【特許請求の範囲】
【請求項１】
クレジット情報を記憶する記憶部を含み、携帯可能であり、かつ無線によってコンピュータネットワークに接続可能な購入処理部と、
コンピュータネットワークを介してオンラインで商品の販売を行う販売処理部と、
コンピュータネットワークを介してクレジット情報の認証を行うクレジット認証部とを含み、
購入処理部は、販売処理部から購入する商品の代金の決済をクレジットによって行う旨の決済要求情報を販売処理部に送信し、
販売処理部は、購入処理部から決済要求情報を受信すると、クレジットによる決済を許可するための許可情報を購入処理部に送信し、
購入処理部は、販売処理部から許可情報を受信すると、記憶部に記憶されるクレジット情報を読み出し、読み出したクレジット情報を販売処理部に送信可能であり、
販売処理部は、購入処理部からクレジット情報を受信すると、受信したクレジット情報をクレジット認証部に送信し、
クレジット認証部は、販売処理部からクレジット情報を受信すると、受信したクレジット情報の認証を行い、認証結果を表す認証結果情報を販売処理部に送信し、
販売処理部は、クレジット認証部から認証結果を受信し、その認証結果が認証したことを示すとき、クレジットによる金銭処理を行うことを特徴とするオンライン金銭処理システム。
【請求項２】
前記購入処理部は、
決済の開始の指示を要求するための決済指示要求情報を表示する表示部と、表示部に表示される決済指示要求情報に応答して、決済の開始を指示するための決済開始指示情報を入力する入力部とをさらに含み、
前記販売処理部から許可情報を受信すると、決済指示要求情報を表示部に表示し、表示部に表示された決済指示要求情報に応答して、入力部によって決済開始指示情報が入力された後に、記憶部に記憶されるクレジット情報を読み出し、読み出したクレジット情報を販売処理部に送信することを特徴とする請求項１に記載のオンライン金銭処理システム。
【請求項３】
前記許可情報は、コンパクトハイパーテキストマークアップ言語（ｃＨＴＭＬ）で記述される予め定める様式の命令によって表されることを特徴とする請求項１に記載のオンライン金銭処理システム。
【請求項４】
前記購入処理部は、前記記憶部への読み書きが許可されたアクセス手段を含み、販売処理部から許可情報を受信すると、そのアクセス手段によって、記憶部に記憶されるクレジット情報を読み出すことを特徴とする請求項１に記載のオンライン金銭処理システム。
【請求項５】
前記記憶部は、非接触ＩＣチップによって構成されることを特徴とする請求項１に記載のオンライン金銭処理システム。
【請求項６】
コンピュータネットワークを介して商品の販売を行う販売処理部から購入する商品の代金の決済をクレジットによって行う旨の決済要求情報を販売処理部に無線によって送信する決済要求情報送信工程と、
決済要求情報送信工程で送信された決済要求情報に応答して、商品の購入をクレジットによって決済することを許可する許可情報を販売処理部から受信すると、クレジット情報を記憶する記憶部に記憶されるクレジット情報を読み出し、読み出したクレジット情報を販売処理部に無線によってコンピュータネットワークを介して送信するクレジット情報送信工程とをコンピュータに実行させるためのプログラム。
【発明の詳細な説明】
【技術分野】
【０００１】
本発明は、コンピュータネットワーク上でのオンライン商取引に伴う金銭処理を行うオンライン金銭処理システムおよびプログラムに関する。
【背景技術】
【０００２】
近年、インターネットなどのコンピュータネットワークを利用したオンライン商取引が盛んに行われており、携帯電話機などからも商取引が可能となっている。このようなオンライン商取引においては、現金の受け渡しを必要としないなどの利便性から、クレジットカードによって代金を支払うことが行われている。
【０００３】
図３は、第１の従来の技術によるクレジット決済システム２の構成の一例を示す。クレジット決済システム２は、オンライン商取引において、商品の代金をクレジットカードによって決済するシステムであり、携帯電話機２０、小売店サーバ２１、およびクレジット会社サーバ２２を含み、小売店サーバ２１およびクレジット会社サーバ２２はコンピュータネットワーク２３によって接続されおり、携帯電話機２０は、無線によってコンピュータネットワーク２３に接続することができる。
【０００４】
携帯電話機２０は、無線通信機能およびブラウザ機能を有し、ユーザは、コンピュータネットワーク２３を介してオンライン商取引、たとえばオンラインショッピングが可能である。ユーザは、クレジットによる決済を選択した場合、クレジットカード番号および有効期限などのクレジット情報をＷｅｂ画面から入力することによって、オンラインショッピングで購入する商品の代金をクレジットカードで決済することができる。小売店サーバ２１は、オンラインショッピングを行うための仮想の店舗をインターネットのＷｅｂ上に開設するサーバである。小売店サーバ２１は、携帯電話機２０からのクレジット情報および商品の金額を、クレジット会社サーバ２２に送り、決済を依頼する。クレジット会社サーバ２２は、小売店サーバ２１の所有者である商品提供者が加盟するクレジット会社のサーバであり、小売店サーバ２１から受け取ったクレジット情報の認証および決済処理を行う。
【０００５】
図４は、図３に示したクレジット決済システム２における処理手順のシーケンスを示す。携帯電話機２０によって購入商品を選択してから、クレジットによる決済が完了するまでの処理手順を、シーケンスＡ１からシーケンスＡ９までの決済方法選択時、およびシーケンスＡ９からシーケンスＡ２０までの決済時に分けて、図４の上方から下方に時系列に示している。
【０００６】
シーケンスＡ１では、携帯電話機２０が有するブラウザ機能であるアプリブラウザ２０３は、小売店サーバ２１にアクセスし、小売店サイトのＷｅｂ画面で購入商品を選択する。シーケンスＡ２では、携帯電話機２０によって選択された購入商品を示す購入商品情報が小売店サーバ２１に送信される。シーケンスＡ３では、小売店サーバ２１は、購入商品の決済方法のメニューをｃＨＴＭＬ（Compact Hyper Text Markup Language）で記述した決済メニュー情報を携帯電話機２０に送信する。シーケンスＡ４では、決済メニュー情報が小売店サーバ２１から携帯電話機２０に送信される。
【０００７】
シーケンスＡ５では、アプリブラウザ２０３は、受信した決済メニュー情報が示す決済メニューの中から、クレジットでの決済を選択する。シーケンスＡ６では、クレジットでの決済が選択されたことを示すクレジット決済選択情報が携帯電話機２０から小売店サーバ２１に送信される。シーケンスＡ７では、小売店サーバ２１は、クレジット用の入力画面をｃＨＴＭＬで記述したクレジット情報入力画面情報を携帯電話機２０に送信する。シーケンスＡ８では、クレジット情報入力画面情報が小売店サーバ２１から携帯電話機２０に送信される。シーケンスＡ９では、アプリブラウザ２０３は、クレジット情報入力画面情報が示すクレジット情報入力画面を表示する。
【０００８】
シーケンスＡ１０では、携帯電話機２０に表示されたクレジット情報入力画面で、ユーザによってクレジット情報が入力される。シーケンスＡ１１では、アプリブラウザ２０３は、クレジット情報入力画面で入力されクレジット情報を、小売店サーバ２１に送信する。シーケンスＡ１２では、クレジット情報が携帯電話機２０から小売店サーバ２１に送信される。シーケンスＡ１３では、小売店サーバ２１は、携帯電話機２０から受信したクレジット情報と代金情報をクレジット会社サーバ２２に送信し、クレジットの認証と決済処理を依頼する。シーケンスＡ１４では、クレジット情報と代金情報とが小売店サーバ２１からクレジット会社サーバ２２に送信される。シーケンスＡ１５では、クレジット会社サーバ２２は、クレジットの認証と決済処理を行い、クレジットによる決済の承認を表す決済承認情報を小売店サーバ２１に送る。シーケンスＡ１６では、決済承認情報がクレジット会社サーバ２２から小売店サーバ２１に送信される。シーケンスＡ１７では、小売店サーバ２１は、決済完了をｃＨＴＭＬで記述した決済完了情報を携帯電話機２０に送信する。シーケンスＡ１８では、決済完了情報が小売店サーバ２１から携帯電話機２０に送信される。シーケンスＡ１９では、携帯電話機２０は、決済処理を完了する。シーケンスＡ２０では、小売店サーバ２１は、シーケンスＡ１７に引続いて、商品を発送するための処理を開始する。
【０００９】
第２の従来の技術として、決済サーバを設けることによって、クレジット情報の入力操作無しに、クレジットカードで決済することができる決済システムがある。この決済システムは、顧客情報とカード番号とを関連付けて記憶するカード番号登録ＤＢ（Database）
を有し、コンピュータネットワーク上での料金の支払いを決済する決済サーバと、商品あるいはサービスを提供する提供サイトサーバと、提供サイトサーバからの商品あるいはサービスの提供を受けて、決済サーバにクレジットカードによる決済要求を行うユーザ端末とを含む。決済サーバは、クレジット会社にあるサーバとは別のサーバであり、ユーザ端末たとえば携帯電話からのクレジットカードによる決済要求があると、カード番号登録ＤＢに記憶されている顧客情報とカード番号とに基づいて、クレジットカード会社からの認証を受けた後に、決済のための処理を行う（たとえば特許文献１参照）。
【００１０】
【特許文献１】特開２００５−２２７９１７号公報
【発明の開示】
【発明が解決しようとする課題】
【００１１】
第１の従来の技術は、クレジットカード番号および有効期限などのクレジット情報を入力する必要があるという問題があり、ユーザ操作が煩雑で、入力時に操作するキーを見られると重要な個人情報が漏れる危険性もある。第２の従来の技術は、オンラインでの商取引でクレジットによる決済を行うため、クレジット情報を入力する必要はないが、クレジット情報の入力をなくすために、クレジット会社にあるサーバとは別に、予めクレジット情報を登録しておく決済サーバを利用する必要があるという問題がある。
【００１２】
本発明の目的は、ユーザがクレジット情報を入力することなく、かつ入力の代わりにクレジット情報を予め登録させておくサーバを用いる必要がなく、携帯電話機などの携帯通信装置からクレジットによる決済を行うことができるオンライン金銭処理システムおよびプログラムを提供することである。
【課題を解決するための手段】
【００１３】
本発明は、クレジット情報を記憶する記憶部を含み、携帯可能であり、かつ無線によってコンピュータネットワークに接続可能な購入処理部と、
コンピュータネットワークを介してオンラインで商品の販売を行う販売処理部と、
コンピュータネットワークを介してクレジット情報の認証を行うクレジット認証部とを含み、
購入処理部は、販売処理部から購入する商品の代金の決済をクレジットによって行う旨の決済要求情報を販売処理部に送信し、
販売処理部は、購入処理部から決済要求情報を受信すると、クレジットによる決済を許可するための許可情報を購入処理部に送信し、
購入処理部は、販売処理部から許可情報を受信すると、記憶部に記憶されるクレジット情報を読み出し、読み出したクレジット情報を販売処理部に送信可能であり、
販売処理部は、購入処理部からクレジット情報を受信すると、受信したクレジット情報をクレジット認証部に送信し、
クレジット認証部は、販売処理部からクレジット情報を受信すると、受信したクレジット情報の認証を行い、認証結果を表す認証結果情報を販売処理部に送信し、
販売処理部は、クレジット認証部から認証結果を受信し、その認証結果が認証したことを示すとき、クレジットによる金銭処理を行うことを特徴とするオンライン金銭処理システムである。
【００１４】
本発明に従えば、携帯可能であり、かつ無線によってコンピュータネットワークに接続可能な購入処理部によって、クレジット情報を記憶する記憶部が含まれ、販売処理部によって、コンピュータネットワークを介してオンラインで商品の販売が行われ、クレジット認証部によって、コンピュータネットワークを介してクレジット情報の認証が行われる。さらに、購入処理部によって、販売処理部から購入する商品の代金の決済をクレジットによって行う旨の決済要求情報が販売処理部に送信され、販売処理部によって、購入処理部から決済要求情報が受信されると、クレジットによる決済を許可するための許可情報が購入処理部に送信され、購入処理部によって、販売処理部から許可情報が受信されると、記憶部に記憶されるクレジット情報が読み出され、読み出されたクレジット情報が販売処理部に送信可能である。そして、販売処理部によって、購入処理部からクレジット情報が受信されると、受信されたクレジット情報がクレジット認証部に送信され、クレジット認証部によって、販売処理部からクレジット情報が受信されると、受信されたクレジット情報の認証が行われ、認証結果を表す認証結果情報が販売処理部に送信され、販売処理部によって、クレジット認証部から認証結果が受信され、その認証結果が認証したことを示すとき、クレジットによる金銭処理が行われるので、すなわち、購入処理部たとえば携帯電話機が有する記憶部たとえば非接触ＩＣチップに記憶されているクレジット情報を利用することができるので、ユーザがクレジット情報を入力することなく、かつ入力の代わりにクレジット情報を予め登録させておくサーバを用いる必要がなく、携帯電話機などの携帯通信装置からクレジットによる決済を行うことができる。
【００１５】
また本発明は、前記購入処理部は、
決済の開始の指示を要求するための決済指示要求情報を表示する表示部と、表示部に表示される決済指示要求情報に応答して、決済の開始を指示するための決済開始指示情報を入力する入力部とをさらに含み、
前記販売処理部から許可情報を受信すると、決済指示要求情報を表示部に表示し、表示部に表示された決済指示要求情報に応答して、入力部によって決済開始指示情報が入力された後に、記憶部に記憶されるクレジット情報を読み出し、読み出したクレジット情報を販売処理部に送信することを特徴とする。
【００１６】
本発明に従えば、前記購入処理部によって、決済の開始の指示を要求するための決済指示要求情報を表示する表示部と、表示部に表示される決済指示要求情報に応答して、決済の開始を指示するための決済開始指示情報を入力する入力部とがさらに含まれ、前記販売処理部から許可情報が受信されると、決済指示要求情報が表示部に表示され、表示部に表示された決済指示要求情報に応答して、入力部によって決済開始指示情報が入力された後に、記憶部に記憶されるクレジット情報が読み出され、読み出されたクレジット情報が販売処理部に送信されるので、販売処理部たとえば小売店サーバの許可に基づいて表示される決済開始要求情報たとえば決済ボタンに応答して、ユーザ操作たとえば決済ボタンを押下することによって、クレジットの決済を開始することができる。
【００１７】
また本発明は、前記許可情報は、コンパクトハイパーテキストマークアップ言語（ｃＨＴＭＬ）で記述される予め定める様式の命令によって表されることを特徴とする。
【００１８】
本発明に従えば、前記許可情報は、コンパクトハイパーテキストマークアップ言語（ｃＨＴＭＬ）で記述される予め定める様式の命令によって表されるので、小売店サーバでは、簡単に許可情報を記述することができ、さらにその小売店サーバ独自に予め定める様式の命令で記述することができる。
【００１９】
また本発明は、前記購入処理部は、前記記憶部への読み書きが許可されたアクセス手段を含み、販売処理部から許可情報を受信すると、そのアクセス手段によって、記憶部に記憶されるクレジット情報を読み出すことを特徴とする。
【００２０】
本発明に従えば、前記購入処理部によって、前記記憶部への読み書きが許可されたアクセス手段が含まれ、販売処理部から許可情報が受信されると、そのアクセス手段によって、記憶部に記憶されるクレジット情報が読み出されるので、記憶部への読み書きは、許可されたアクセス手段たとえばクレジット会社サーバによって提供されたアクセスモジュールによってのみ可能とすることができる。
【００２１】
また本発明は、前記記憶部は、非接触ＩＣチップによって構成されることを特徴とする。
【００２２】
本発明に従えば、前記記憶部は、非接触ＩＣチップによって構成されるので、非接触ＩＣチップに記録されているクレジット情報によって決済することができる。
【００２３】
また本発明は、コンピュータネットワークを介して商品の販売を行う販売処理部から購入する商品の代金の決済をクレジットによって行う旨の決済要求情報を販売処理部に無線によって送信する決済要求情報送信工程と、
決済要求情報送信工程で送信された決済要求情報に応答して、商品の購入をクレジットによって決済することを許可する許可情報を販売処理部から受信すると、クレジット情報を記憶する記憶部に記憶されるクレジット情報を読み出し、読み出したクレジット情報を販売処理部に無線によってコンピュータネットワークを介して送信するクレジット情報送信工程とをコンピュータに実行させるためのプログラムである。
【００２４】
本発明に従えば、コンピュータネットワークを介して商品の販売を行う販売処理部から購入する商品の代金の決済をクレジットによって行う旨の決済要求情報を販売処理部に無線によって送信する決済要求情報送信工程と、決済要求情報送信工程で送信された決済要求情報に応答して、商品の購入をクレジットによって決済することを許可する許可情報を販売処理部から受信すると、クレジット情報を記憶する記憶部に記憶されるクレジット情報を読み出し、読み出したクレジット情報を販売処理部に無線によってコンピュータネットワークを介して送信するクレジット情報送信工程とをコンピュータに実行させるためのプログラムとして提供することができるので、このプログラムを携帯電話機に搭載すれば、クレジットによる決済のためのクレジット情報を決済時に入力する必要がなく、かつ商品購入時に決済を行うことができる。
【発明の効果】
【００２５】
本発明によれば、購入処理部たとえば携帯電話機などの携帯通信装置が有する記憶部たとえば非接触ＩＣチップに記憶されているクレジット情報を利用することができるので、ユーザがクレジット情報を入力することなく、かつ入力の代わりにクレジット情報を予め登録させておくサーバを用いる必要がなく、携帯電話機などの携帯通信装置からクレジットによる決済を行うことができる。したがって、携帯電話機などの携帯通信装置でのクレジットによるユーザ操作を簡便にし、かつ入力ミスを低減し、より確実にすることができる。
【００２６】
また本発明によれば、販売処理部たとえば小売店サーバの許可に基づいて表示される決済開始要求情報たとえば決済ボタンに応答して、ユーザ操作たとえば決済ボタンを押下することによって、クレジットの決済を開始することができるので、クレジット番号および有効期限などのクレジット情報を入力する必要がなく、ユーザ操作を簡単化することができる。
【００２７】
また本発明によれば、小売店サーバでは、簡単に許可情報を記述することができ、さらにその小売店サーバ独自に予め定める様式の命令で記述することができるので、他の小売店サーバと異なる命令を用いることができ、他の小売店サーバからの許可情報によって、携帯クレジットの決済が行われることを防止することができる。
【００２８】
また本発明によれば、記憶部への読み書きは、許可されたアクセス手段たとえばクレジット会社サーバによって提供されたアクセスモジュールによってのみ可能とすることができるので、クレジット会社サーバによって許可されていないアクセスモジュールによって、記憶部に記憶されるクレジット情報に不正にアクセスされることを防止することができる。
【００２９】
また本発明によれば、非接触ＩＣチップに記録されているクレジット情報によって決済することができるので、非接触ＩＣチップが搭載されるたとえば携帯電話機によって、商品を購入した際に、クレジットによる決済を簡単に行うことができる。
【００３０】
また本発明によれば、このプログラムを携帯電話機に搭載すれば、クレジットによる決済のためのクレジット情報を決済時に入力する必要がなく、かつ商品購入時に決済を行うことができるので、ユーザにとっては、クレジット情報を入力する必要がなく、より簡単な操作でクレジットによる決済を行うことができる。
【発明を実施するための最良の形態】
【００３１】
図１は、本発明の実施の一形態である携帯クレジット決済システム１の構成の一例を示す。オンライン金銭処理システムである携帯クレジット決済システム１は、携帯電話機１０、小売店サーバ１１、およびクレジット会社サーバ１２を含み、小売店サーバ１１およびクレジット会社サーバ１２は、コンピュータネットワーク１３に接続されており、携帯電話機１０は、無線によってコンピュータネットワーク１３に接続可能である。無線は、たとえば無線ＬＡＮ、ブルートゥース、あるいは電話通信である。図１には、１台の携帯電話機１０および１台の小売店サーバ１１のみ記載しているが、これらは１台に限られるものではなく、複数台接続することが可能である。
【００３２】
携帯電話機１０は、無線通信機能およびブラウザ機能を有する携帯型の無線通信装置であり、無線通信機能によってコンピュータネットワーク１３に接続し、ブラウザ機能によってインターネットにアクセスし、オンラインショッピングを行うことができる。携帯電話機１０は、少なくともクレジット番号および有効期限を含むクレジット情報を記憶するための非接触ＩＣ（Integrated Circuit）チップ１０１、図示しないＣＰＵ（
Central Processing Unit）、ＲＯＭ（Read Only Memory）あるいはＲＡＭ（
Random Access Memory）などの半導体メモリによって構成される図示しない記憶装置、液晶ディスプレイなどの図示しない表示装置、ならびに数字キー、上下左右キー、および決定キーを含む操作キーなどのキーから構成される入力装置を含む。非接触ＩＣチップ１０１に記憶されるクレジット情報にアクセスするためのアクセスモジュール１０２、およびブラウザ機能を実現するためのアプリブラウザ１０３は、図示しない記憶装置に記憶される。
【００３３】
非接触ＩＣチップ１０１は、不揮発メモリと無線通信チップとを内蔵した非接触型のメモリチップであり、たとえば国際標準ＩＳＯ／ＩＥＣ（International Organization 
for Standardization /International Electrotechnical Commission） １５４０８ ＥＡＬ（Evaluation Assurance Level）４に準拠する記憶装置である。非接触ＩＣチップ１０１に記憶されるクレジット情報は、非接触ＩＣチップ１０１にアクセスすることができる専用の装置、あるいはクレジット会社から提供される専用のアクセスモジュール１０２によって読み書きが可能である。
【００３４】
アクセスモジュール１０２は、非接触ＩＣチップ１０１に記憶されたクレジット情報にアクセスするためのプログラムであり、予めクレジット会社サーバ１２からダウンロードされ、図示しない記憶装置に記憶されている。アクセスモジュール１０２は、アプリブラウザ１０３によって起動され、図示しないＣＰＵによって実行される。本発明に係るプログラムであるアプリブラウザ１０３は、ブラウザ機能を実現するためのプログラムであり、図示しない記憶装置に記憶され、図示しないＣＰＵによって実行される。アプリブラウザ１０３は、ユーザが携帯電話機１０の図示しない入力装置を操作することによって起動され、図２に示すシーケンス図のアプリブラウザ１０３の処理を実行する。
【００３５】
小売店サーバ１１は、たとえばコンピュータによって構成され、コンピュータネットワークを介して、商品をオンラインで販売するサーバであり、インターネット上で小売店サイトを運営する事業者のサーバである。小売店サーバ１１は、インターネット上にオンラインショッピングのための小売店サイトを開設し、ユーザは、携帯電話機１０からこの小売店サイトにアクセスすることができる。小売店サーバ１１が提供するＷｅｂ画面たとえば商品を選択するためのＷｅｂ画面を携帯電話機１０の図示しない表示装置に表示することによって、オンラインショッピングなどを行うことができる。小売店サーバ１１は、携帯電話機１０から送信されるクレジット情報が、クレジット会社サーバ１２によって認証されると、購入された商品を発送する。
【００３６】
クレジット会社サーバ１２は、たとえばコンピュータによって構成され、各携帯電話機１０に搭載される非接触ＩＣチップ１０１に記憶されているクレジット情報を管理するクレジット会社のサーバである。クレジット会社が提供する装置であって、非接触ＩＣチップ１０１に記憶されているクレジット情報にアクセスする専用の装置、またはクレジット会社サーバ１２が提供するアクセスモジュール１０２によってのみ、携帯電話機１０に記憶されるクレジット情報にアクセスすることができる。クレジット会社サーバ１２は、小売店サーバ１１からのクレジット情報の認証依頼に応答して、認証結果を小売店サーバ１１に知らせる。
【００３７】
図２は、図１に示した携帯クレジット決済システム１における処理手順のシーケンスを示す。図２は、携帯電話機１０によって購入商品を選択してから、クレジットによる決済が完了するまでの処理手順を、シーケンスＳ１からシーケンスＳ９までの決済方法選択時、およびシーケンスＳ１０からシーケンスＳ２３までの決済時に分けて、図２の上方から下方に時系列に示している。ユーザが、携帯電話機１０の図示しない入力装置を操作して、インターネット上の小売店サイトたとえば小売店サーバ１１にアクセスし、小売店サイトが提供するＷｅｂ画面が図示しない表示装置に表示されると、シーケンスＳ１に移る。
【００３８】
シーケンスＳ１では、携帯電話機１０のアプリブラウザ１０３は、小売店サーバ１１から取得して表示したＷｅｂ画面で、ユーザの指示つまり図示しない入力装置からの指示によって購入商品を選択する。シーケンスＳ２では、携帯電話機１０によって選択された購入商品を示す購入商品情報が小売店サーバ１１に送信される。シーケンスＳ３では、小売店サーバ１１は、購入商品情報を受信すると、購入商品の決済方法のメニューをｃＨＴＭＬ（Compact Hyper Text Markup Language）で記述した決済メニュー情報を携帯電話機１０に送信する。シーケンスＳ４では、決済メニュー情報が小売店サーバ１１から携帯電話機１０に送信される。決済メニュー情報は、たとえば電子マネーによる決済、携帯クレジットによる決済、商品引き換え時の決済などの決済のメニューを表す情報である。携帯クレジットによる決済は、非接触ＩＣチップを利用したクレジットカードと同様に、携帯電話機１０に搭載されている非接触ＩＣチップに記憶されているクレジット情報によって、決済を行うものである。
【００３９】
シーケンスＳ５では、アプリブラウザ１０３は、決済メニュー情報を受信すると、受信した決済メニュー情報を図示しない表示装置に表示し、決済メニュー情報が示す決済メニューの中から、ユーザの指示によって、携帯クレジットでの決済を選択する。シーケンスＳ６では、携帯クレジットでの決済が選択されたことを示す携帯クレジット決済選択情報が携帯電話機１０から小売店サーバ１１に送信される。シーケンスＳ７では、小売店サーバ１１は、携帯クレジット決済選択情報を受信すると、携帯クレジット用の決済情報つまり商品の代金を表す代金情報および携帯クレジットによる決済を許可するための許可情報を、専用タグを用いたｃＨＭＴＬ言語にて記述した携帯クレジット決済許可情報として送信する。専用タグは、たとえば「＜ＳＥＮＹＯ＞」、「＜／ＳＥＮＹＯ＞」などのタグであり、「＜ＳＥＮＹＯ＞」タグと「＜／ＳＥＮＹＯ＞」タグとの間に、携帯クレジット用の決済情報を記述する。この専用タグは、ｃＨＴＭＬで標準的に設けられているタグとは異なるタグであり、事業者ごとに設定することができ、携帯電話機１０のアプリブラウザ１０３が認識することができるように設定される。したがって、他の携帯電話機で用いられるブラウザ機能では、この専用タグを認識することできない。
【００４０】
シーケンスＳ８では、携帯クレジット決済許可情報が、小売店サーバ１１から携帯電話機１０に送信される。シーケンスＳ９では、アプリブラウザ１０３は、専用タグを用いたｃＨＭＴＬ言語にて記述された携帯クレジット決済許可情報を受信すると、図示しない表示装置に表示されているＷｅｂ画面に「決済ボタン」を重畳して表示する。シーケンスＳ１０では、ユーザが、図示しない入力装置たとえば操作キーに含まれる上下左右キーを操作してポインタを「決済ボタン」の位置に合わせ、入力装置たとえば決定キーを押下すると、アプリブラウザ１０３は、携帯クレジット情報の読み出しをアクセスモジュール１０２に要求する。シーケンスＳ１１では、携帯クレジット情報読み出し要求が、アプリブラウザ１０３からアクセスモジュール１０２に指示される。シーケンスＳ１２では、アクセスモジュール１０２は、携帯クレジット情報読み出し要求を受け取ると、非接触ＩＣチップ１０１から携帯クレジット情報を読み出し、アプリブラウザ１０３に送る。シーケンスＳ１３では、携帯クレジット情報がアクセスモジュール１０２からアプリブラウザ１０３に送られる。
【００４１】
シーケンスＳ１４では、アプリブラウザ１０３は、シーケンスＳ８で送信された携帯クレジット決済許可情報に含まれる専用タグのｐａｒａｍ値と、アクセスモジュール１０２から受信した携帯クレジット情報とをクレジット会社サーバ１２に送信する。専用タグのｐａｒａｍ値には、代金情報および購入した商品を識別するための情報などが含まれる。携帯クレジット情報には、クレジット番号、有効期限、および所有者を識別するための識別情報などの情報が含まれる。シーケンスＳ１５では、専用タグのｐａｒａｍ値および携帯クレジット情報が携帯電話機１０から小売店サーバ１１に送信される。
【００４２】
シーケンスＳ１６では、小売店サーバ１１は、専用タグのｐａｒａｍ値および携帯クレジット情報を受信すると、専用タグのｐａｒａｍ値に含まれる代金情報と携帯クレジット情報とをクレジット会社サーバ１２に送信する。シーケンスＳ１７では、代金情報と携帯クレジット情報とが、小売店サーバ１１からクレジット会社サーバ１２に送信される。シーケンスＳ１８では、クレジット会社サーバ１２は、代金情報と携帯クレジット情報と受信すると、受信した携帯クレジット情報の認証を行う。携帯クレジット情報が正常に認証されると、受信した専用タグのｐａｒａｍ値に含まれる代金情報に基づいて決済処理を行い、決済を承認したことを示す決済承認情報を小売店サーバ１１に送信する。シーケンスＳ２０では、小売店サーバ１１は、決済完了をｃＨＴＭＬで記述した決済完了情報を携帯電話機１０に送信する。シーケンスＳ２１では、決済完了情報が、小売店サーバ１１から携帯電話機１０に送られる。シーケンスＳ２２では、アプリブラウザ１０３は、決済処理を完了する。シーケンスＳ２３では、小売店サーバ１１は、シーケンスＳ２０に引続いて、商品を発送するための処理を開始する。
【００４３】
アプリブラウザ１０３は、コンピュータたとえば図示しないＣＰＵに、図２に示したシーケンスの処理手順のうち、アプリブラウザ１０３に関する各工程を実行させるためのプログラムである。アプリブラウザ１０３は、予め携帯電話機１０の図示しない記憶装置に記憶させておいてもよいし、たとえばアプリブラウザ１０３を提供するサーバから、コンピュータネットワークを介して、ユーザの携帯電話機１０にダウンロードすることができるようにしてもよい。
【００４４】
このように、携帯可能であり、かつ無線によってコンピュータネットワークに接続可能な購入処理部であるたとえば携帯電話機１０によって、クレジット情報を記憶する記憶部が含まれ、販売処理部であるたとえば小売店サーバ１１によって、コンピュータネットワークを介してオンラインで商品の販売が行われ、クレジット認証部であるクレジット会社サーバ１２によって、コンピュータネットワークを介してクレジット情報の認証が行われる。さらに、購入処理部によって、販売処理部から購入する商品の代金の決済をクレジットによって行う旨の決済要求情報であるたとえば携帯クレジット決済選択情報が販売処理部に送信され、販売処理部によって、購入処理部から決済要求情報が受信されると、クレジットによる決済を許可するための許可情報が購入処理部に送信され、購入処理部によって、販売処理部から許可情報が受信されると、記憶部に記憶されるクレジット情報が読み出され、読み出されたクレジット情報が販売処理部に送信可能である。そして、販売処理部によって、購入処理部からクレジット情報が受信されると、受信されたクレジット情報がクレジット認証部に送信され、クレジット認証部によって、販売処理部からクレジット情報が受信されると、受信されたクレジット情報の認証が行われ、認証結果を表す認証結果情報が販売処理部に送信され、販売処理部によって、クレジット認証部から認証結果が受信され、その認証結果が認証したことを示すとき、クレジットによる金銭処理が行われるので、すなわち、購入処理部たとえば携帯電話機などの携帯通信装置が有する記憶部たとえば非接触ＩＣチップに記憶されているクレジット情報を利用することができるので、ユーザがクレジット情報を入力することなく、かつ入力の代わりにクレジット情報を予め登録させておくサーバを用いる必要がなく、携帯電話機などの携帯通信装置からクレジットによる決済を行うことができる。したがって、携帯電話機などの携帯通信装置でのクレジットによるユーザ操作を簡便にし、かつ入力ミスを低減し、より確実にすることができる。
【００４５】
さらに、前記購入処理部によって、決済の開始の指示を要求するための決済指示要求情報を表示する表示部であるたとえば図示しない表示装置と、表示部に表示される決済指示要求情報であるたとえば決済ボタンに応答して、決済の開始を指示するための決済開始指示情報であるたとえば決済ボタンを操作することによって入力される情報を入力する入力部であるたとえば図示しない入力装置とがさらに含まれ、前記販売処理部から許可情報が受信されると、決済指示要求情報が表示部に表示され、表示部に表示された決済指示要求情報に応答して、入力部によって決済開始指示情報が入力された後に、記憶部に記憶されるクレジット情報が読み出され、読み出されたクレジット情報が販売処理部に送信されるので、販売処理部たとえば小売店サーバの許可に基づいて表示される決済開始要求情報たとえば決済ボタンに応答して、ユーザ操作たとえば決済ボタンを押下することによって、クレジットの決済を開始することができる。したがって、クレジット番号および有効期限などのクレジット情報を入力する必要がなく、ユーザ操作を簡単化することができる。
【００４６】
さらにまた、前記許可情報は、コンパクトハイパーテキストマークアップ言語（ｃＨＴＭＬ）で記述される予め定める様式の命令によって表されるので、小売店サーバでは、簡単に許可情報を記述することができ、さらにその小売店サーバ独自に予め定める様式の命令で記述することができる。したがって、他の小売店サーバと異なる命令を用いることができ、他の小売店サーバからの許可情報によって、携帯クレジットの決済が行われることを防止することができる。
【００４７】
さらに、前記購入処理部によって、前記記憶部への読み書きが許可されたアクセス手段であるたとえばアクセスモジュール１０２が含まれ、販売処理部から許可情報が受信されると、そのアクセス手段によって、記憶部に記憶されるクレジット情報が読み出されるので、記憶部への読み書きは、許可されたアクセス手段たとえばクレジット会社サーバによって提供されたアクセスモジュールによってのみ可能とすることができる。したがって、クレジット会社サーバによって許可されていないアクセスモジュールによって、記憶部に記憶されるクレジット情報に不正にアクセスされることを防止することができる。
【００４８】
さらにまた、前記記憶部は、非接触ＩＣチップによって構成されるので、非接触ＩＣチップに記録されているクレジット情報によって決済することができる。したがって、非接触ＩＣチップが搭載されるたとえば携帯電話機によって、商品を購入した際に、クレジットによる決済を簡単に行うことができる。
【００４９】
さらに、コンピュータネットワークを介して商品の販売を行う販売処理部から購入する商品の代金の決済をクレジットによって行う旨の決済要求情報を販売処理部に無線によって送信する決済要求情報送信工程と、決済要求情報送信工程で送信された決済要求情報に応答して、商品の購入をクレジットによって決済することを許可する許可情報を販売処理部から受信すると、クレジット情報を記憶する記憶部に記憶されるクレジット情報を読み出し、読み出したクレジット情報を販売処理部に無線によってコンピュータネットワークを介して送信するクレジット情報送信工程とをコンピュータに実行させるためのプログラムとして提供することができるので、このプログラムを携帯電話機に搭載すれば、クレジットによる決済のためのクレジット情報を決済時に入力する必要がなく、かつ商品購入時に決済を行うことができる。したがって、ユーザにとっては、クレジット情報を入力する必要がなく、より簡単な操作でクレジットによる決済を行うことができる。
【図面の簡単な説明】
【００５０】
【図１】本発明の実施の一形態である携帯クレジット決済システム１の構成の一例を示す。
【図２】図１に示した携帯クレジット決済システム１における処理手順のシーケンスを示す。
【図３】第１の従来の技術によるクレジット決済システム２の構成の一例を示す。
【図４】図３に示したクレジット決済システム２における処理手順のシーケンスを示す。
【符号の説明】
【００５１】
１  携帯クレジット決済システム
２  クレジット決済システム
１０，２０  携帯電話機
１１，２１  小売店サーバ
１２，２２  クレジット会社サーバ
１３，２３  コンピュータネットワーク
１０１  非接触ＩＣメモリ
１０２  アクセスモジュール
１０３，２０３  アプリブラウザ
【図１】
2008139910.tif 000003
【図２】
2008139910.tif 000004
【図３】
2008139910.tif 000005
【図４】
2008139910.tif 000006